(57)【要約】【課題】  携帯機器を構成する、第１筐体と第２筐体とを前後方向へスライドさせることができた上で、第２筐体を第１筐体に対し左右いずれの方向にも水平方向へ回転させて横長にすることのできる構造の簡単な開閉装置並びに携帯機器を提供する。【解決手段】  前記第１筐体の上面側に水平方向左右へ回転可能に取り付けられた回転ベースプレートと、前記第２筐体の下面側に取り付けられ前記回転ベースプレートに対し係合状態で取り付けられ前記第１筐体の前後方向へスライド可能に取り付けられたスライド部材と、このスライド部材のスライド時において前記回転ベースプレートの回転を規制する回転規制機能と、前記スライド部材のスライド上死点において当該回転ベースプレートが前記スライド部材と共に回転することを許容する回転許容機能とを設けることで解決した。【選択図】図３
2010041523.tif 000002
【特許請求の範囲】
【請求項１】
上面に操作部を設けた第１筐体と上面にディスプレイ部を設けた第２筐体とを、互いに前後方向へ相対的にスライドさせて、前記第１筐体の上面を前記第２筐体で覆う閉成状態と、前記第１筐体の上面を露出させる開成状態と、この開成状態から前記第２筐体を前記第１筐体に対して水平方向左右へ回転させて前記ディスプレイ部を横長に用いることのできる回転状態とを作り出すことのできる開閉装置であって、
この開閉装置は、前記第１筐体の上面側に水平方向左右へ回転可能に取り付けられた回転ベースプレートと、前記第２筐体の下面側に取り付けられて前記回転ベースプレートに対し係合状態で前記第１筐体の前後方向へスライド可能に取り付けられたスライド部材と、このスライド部材のスライド時において前記回転ベースプレートの回転を規制する回転規制機能と、前記スライド部材のスライド上死点において前記回転ベースプレートが前記スライド部材と共に回転することを許容する回転許容機能と、を有することを特徴とする、開閉装置。
【請求項２】
前記回転ベースプレートは、第１筐体の側に取り付けた固定ベースプレートに対して回転可能に取り付けられていることを特徴とする、請求項１に記載の開閉装置。
【請求項３】
前記スライド部材は、前記第２筐体に取り付けた固定部材に取り付けられていることを特徴とする、請求項１に記載の開閉装置。
【請求項４】
前記回転規制機能は、前記第１筐体側に取り付けたガイドピンと、このガイドピンと係合する前記スライド部材のスライド方向に設けた回転規制ガイド溝とで果せるように構成したことを特徴とする、請求項１に記載の開閉装置。
【請求項５】
前記回転許容機能は、前記回転ベースプレートに設けた第１回転ガイド溝と前記スライド部材に設けた第２回転ガイド溝と、前記第１回転ガイド溝と第２回転ガイド溝を共に貫通すべく前記第１筐体より立設させたガイドピンとで果せるように構成したことを特徴とする、請求項１に記載の開閉装置。
【請求項６】
前記スライド部材は所定のスライド位置から開成方向と閉成方向へスライド付勢されるスライド付勢手段を有し、このスライド付勢手段は前記回転ベースプレートと前記スライド部材との間に設けられていることを特徴とする、請求項１に記載の開閉装置。
【請求項７】
前記回転ベースプレートと前記スライド部材は、前記第1筐体に対して所定の回転角度から共に左右方向へ付勢される回転付勢手段を有し、この回転付勢手段は、前記請求項５に記載の回転許容機能を果たす構成と、前記第1筐体側より立設した回転支軸と、この回転支軸を挿通させて成る前記回転ベースプレートに設けたガイド長孔とで構成したことを特徴とする、請求項１に記載の開閉装置。
【請求項８】
前記第１回転ガイド溝と第２回転ガイド溝は、平面略山形形状と平面略洋弓形状を呈し、それぞれその中央部より左右に対称に設けられていることを特徴とする、請求項５に記載の開閉装置。
【請求項９】
請求項１〜８に各記載の開閉装置を第１筐体の上面と第２筐体の下面の間に設置したことを特徴とする、携帯機器。
【発明の詳細な説明】
【技術分野】
【０００１】
本発明は、上面に操作部を有する第１筐体に対して上面にディスプレイ部を設けた第２筐体を、簡単な操作で前後方向へスライドさせたり水平方向へ回転させたりして、ディスプレイ部を縦長と横長に用いることのできる携帯機器に用いて好適な開閉装置並びにこの開閉装置を用いた携帯機器に関するものである。
【背景技術】
【０００２】
携帯機器の一種である例えば携帯電話機において、キーボード等の操作部を上面に設けた第１筐体と、ＬＣＤなどのディスプレイ部を上面に設けた第２筐体とを有し、これらの第１筐体と第２筐体とが重なり合って第２筐体で第１筐体の上面を覆う閉成状態と、第２筐体と第１筐体とを前後方向へ相対的にスライドさせて第１筐体の上面を露出させる開成状態とを作り出す、開閉装置付きのものが市場に出回っている。
【０００３】
近年、携帯電話機は、通話機能の他にインターネット等の通信回線を利用した機能、デジタルカメラ機能、録音再生機能、テレビ受信機能、ゲーム機能等の多種多様な機能を備えたものが出回っており、単なる電話機の域を超えてそれは携帯機器と称することができる。このため、例えば、ディスプレイ部に特にテレビの動画を表示させてその動画を観る場合には、第２筐体を第１筐体に対して縦長にするよりは横長にして用いた方が適している。
【０００４】
ところで、従来の携帯電話機には、第１筐体と第２筐体とを互いに縦方向に回転させることによって開成操作を行うものもあり、この種の携帯電話機の中には、第２筐体を第１筐体に対して横長にも回転操作させ得る携帯電話機が提案されている（例えば、特許文献１，２参照。）。これらの特許文献１及び２に記載されている携帯電話機は、キーボード等の操作部を上面に設けた第１筐体と、ディスプレイ部等を下面に設けた第２筐体と、この第２筐体を開閉及び回転可能に支持する第３筐体とを備えている。この携帯電話機では、携帯電話機の使用待機時の閉成状態のときには、第１筐体と第２筐体とが重なり合って第１筐体の上面を第２筐体で覆った状態である。この閉成状態から携帯電話機を使用する場合には、第１筐体に対して第２筐体を第３筐体を介して縦方向に回転させることによって、第１筐体上の操作部が露出して操作可能となり、同時にディスプレイ部が外部に露出されるので、ディスプレイ部を使用し得る状態（縦長の開成状態）になる。このとき、ディスプレイ部は、第１筐体に対して縦長になっている。ディスプレイ部を横長に使用する場合には、その縦長の第２筐体を第３筐体に対して９０度回転させることで、ディスプレイ部が横長の状態（横長の開成状態）になり、ディスプレイ部を横長に使用することができる。
【発明の開示】
【発明が解決しようとする課題】
【０００５】
特許文献１及び２に記載されている携帯電話機は、第２筐体に設けたディスプレイ部を縦長と横長の両方で使用し得るが、ディスプレイ部を横長に使用する場合に、第１筐体に対して第２筐体を第３筐体を介して縦方向に回転させてから、さらに、第２筐体を第３筐体に対して９０度回転させなければならず、開成操作が面倒であった。また、ディスプレイ部を横長に使用した後に閉じる場合には、第２筐体を第３筐体に対して９０度回転させてから、第１筐体に対して第２筐体を第３筐体を介して縦方向に回転させなければならず、閉じる場合にも閉成操作が面倒であった。さらに、第１筐体と第２筐体の他に第３筐体を必要とし、部品点数が多く、その分、携帯電話機の厚さが増すという問題があった。
【０００６】
そこで、本出願人はこのような問題点を解決するために、部品点数が少なくて開閉操作を簡単に行える開閉装置を提案した（特許文献３参照）。この開閉装置は、第１筐体と第２筐体が互いに重なり合った閉成状態から、第２筐体と第１筐体を縦方向に相対的にスライドさせることによって、第１筐体の上面を露出させて操作部に対する操作を可能ならしめ、同時に第２筐体に設けたディスプレイ部を縦長の状態で使用することのできる開成状態と、第２筐体を第１筐体に対して水平方向へ回転させつつ横方向へスライドさせることによって第２筐体のディスプレイ部を横長にて使用できる状態とを作り出すことができるものであった。このように、ディスプレイ部を横長に使用する場合、第２筐体を第１筐体に対して水平方向へ回転させつつ横方向へスライドさせるだけの簡単な操作で行えるが、さらに簡単な操作で開閉操作を行えるものが望まれた。
【特許文献１】特開２００６−２１１５７６号公報
【特許文献２】特開２００７−１８９５４１号公報
【特許文献３】特願２００７−３２１３８９号
【０００７】
本発明の目的は、携帯機器を構成するところの、操作部をその上面に有する第１筐体とディスプレイ部をその上面に有する第２筐体とを、前後方向へスライドさせて開閉することができた上で、第２筐体を第１筐体に対し左右いずれの方向にも水平方向へ回転させてディスプレイ部を横長に使用することのできる、構造の簡単な開閉装置並びにこの開閉装置を用いた携帯機器を提供せんとするにある。
【課題を解決するための手段】
【０００８】
前記の目的を達成するための本発明に係る開閉装置は上面に操作部を設けた第１筐体と上面にディスプレイ部を設けた第２筐体とを、互いに前後方向へ相対的にスライドさせて、前記第１筐体の上面を前記第２筐体で覆う閉成状態と、前記第１筐体の上面を露出させる開成状態と、この開成状態から前記第２筐体を前記第１筐体に対して水平方向左右へ回転させて前記ディスプレイ部を横長に用いることのできる回転状態とを作り出すことのできる開閉装置であって、この開閉装置は、前記第１筐体の上面側に水平方向左右へ回転可能に取り付けられた回転ベースプレートと、前記第２筐体の下面側に取り付けられて前記回転ベースプレートに対し係合状態で前記第１筐体の前後方向へスライド可能に取り付けられたスライド部材と、このスライド部材のスライド時において前記回転ベースプレートの回転を規制する回転規制機能と、前記スライド部材のスライド上死点において前記回転ベースプレートが前記スライド部材と共に回転することを許容する回転許容機能と、を有することを特徴とする。
【０００９】
本発明はまた、前記回転ベースプレートは、第１筐体の側に取り付けた固定ベースプレートに対して回転可能に取り付けられていることを特徴とする。
【００１０】
本発明はまた、前記スライド部材は、前記第２筐体に取り付けた固定部材に取り付けられていることを特徴とする。
【００１１】
本発明はまた、前記回転規制機能は、前記第１筐体側に取り付けたガイドピンと、このガイドピンと係合する前記スライド部材のスライド方向に設けた回転規制ガイド溝とで果せるように構成したことを特徴とする。
【００１２】
本発明はさらに、前記回転許容機能は、前記回転ベースプレートに設けた第１回転ガイド溝と前記スライド部材に設けた第２回転ガイド溝と、前記第１回転ガイド溝と第２回転ガイド溝を共に貫通すべく前記第１筐体より立設させたガイドピンとで果せるように構成したことを特徴とする。
【００１３】
また、本発明は、前記スライド部材は所定のスライド位置から開成方向と閉成方向へスライド付勢されるスライド付勢手段を有し、このスライド付勢手段は前記回転ベースプレートと前記スライド部材との間に設けられていることを特徴とする。
【００１４】
また、本発明は、前記回転ベースプレートと前記スライド部材は、前記第1筐体に対して所定の回転角度から共に左右方向へ付勢される回転付勢手段を有し、この回転付勢手段は、前記請求項５に記載の回転許容機能を果たす構成と、前記第1筐体側より立設した回転支軸と、この回転支軸を挿通させて成る前記回転ベースプレートに設けたガイド長孔とで構成したことを特徴とする。
【００１５】
さらに、本発明は、前記第１回転ガイド溝と第２回転ガイド溝は、平面略山形形状と平面略洋弓形状を呈し、それぞれその中央部より左右に対称に設けられていることを特徴とする。
【００１６】
そして、本発明に係る携帯機器は、上記した各開閉装置を第１筐体の上面と第２筐体の下面の間に設置したことを特徴とする。
【発明の効果】
【００１７】
以上説明したように、本発明によれば、簡単な構成で、第１筐体と第２筐体を前後方向へスライドさせることによって、開閉操作を行うことができた上で、第１筐体に対する第２筐体の開成状態から、第２筐体を第１筐体に対して左右方向へ回転させて第２筐体に設けたディスプレイ部を第１筐体に対して左右対称で横長にして用いることができるように構成した開閉装置並びにこの開閉装置を用いた携帯機器を提供することができる。
【発明を実施するための最良の形態】
【００１８】
以下、本発明に係る携帯機器の開閉装置の一例を添付図面に基づいて詳述する。以下に本発明を携帯機器の一例である携帯電話機に実施した場合について説明するが、この携帯機器は携帯電話機のみに限定されず、例えば、ＰＤＡ、ノート型のパソコン、ザウルス（商標）等の携帯端末機、電卓、ポケットコンピュータ、携帯ゲーム機等が挙げられる。なお、本発明において携帯機器としては、その他、灰皿、ケース蓋等も含まれる。
【００１９】
図１〜図２は本発明に係る開閉装置を実施した携帯機器の一例としての携帯電話機の動作を示す説明図である。このうち図１の（ａ）と（ｂ）は第１筐体に対する第２筐体のスライド操作時の動作を示し、図２の（ａ）から（ｃ）は第１筐体に対する第２筐体の回転操作時の動作を示す。
【００２０】
図面によれば、指示記号１で示したものは、携帯電話機であって、この携帯電話機１は上面にキーボードのような操作部２ａを設けた第１筐体２と、この第１筐体２の上面側に位置し、同じく上面に例えば液晶表示装置のようなディスプレイ部３ａを設けた第２筐体３とで構成されている。尚、操作部２ａとしては、第１筐体２の上面にディスプレイ部として表示されるキーボードの場合も含まれ、ディスプレイ部３ａとしては、液晶表示装置、ＥＬ、その他表示手段を用いたものも含まれる。さらに、実施例は携帯電話機１であるので第１筐体２上にマイク部２ｂが、第２筐体３上には、スピーカー部３ｂが設けられている。
【００２１】
本発明に係る開閉装置４は、とくに、図３に示したように、第１筐体２の上面と第２筐体３の下面との間に設置されており、図１と図４、図５に示したように、第１筐体２と第２筐体３を相対的に前後方向へスライドさせて、第１筐体２の上面を第２筐体３で覆う閉成状態と、第１筐体２の上面の操作部２ａを露出させる開成状態とを作り出すスライド機能と、図２と図６、図７に示したように、第１筐体２の上面の操作部２ａを露出させた状態で第２筐体３を左右の水平方向へ回転させることのできる水平回転機能を有している。
【００２２】
そして、スライド機能を用いての第１筐体２と第２筐体３のスライド操作時においては、ディスプレイ部３ａを縦長に用いることができるものであり、水平回転機能を用いて第１筐体２に対して第２筐体３を水平方向左右へ回転させる水平回転操作時においては、ディスプレイ部３ａを横長に用いることができるものである。以下にこの開閉装置４について詳しく説明する。
【００２３】
図３と図８〜図１０において、指示記号７で示したものは、基板部７ａとこの基板部７ａの両側部に形成させた断面略コの字形状の係合部７ｂ、７ｂを有する回転ベースプレートであり、指示記号８で示したものは、この回転ベースプレート７を回転可能に取り付ける固定ベースプレートである。どちらも略同じ大きさを有する例えばＳＵＳ製の平面四角形状のもので、このうち固定ベースプレート８は、取付ネジ５によって、第１筐体２の上面の操作部２ａの上に設けた凹部２ｃを覆って当該第１筐体２へ取り付けられており、この固定ベースプレート８の略中央部に設けたガイド長孔８ａに軸部９ａを挿通させ、さらに、そのフランジ部９ｂを係合させて回転支軸９が設けられ、この回転支軸９がガイド長孔８ａを貫通した側に、回転ベースプレート７が回転可能にその挿通孔７ｃを挿通係止させている。即ち、回転ベースプレート７は、固定ベースプレート８に回転支軸９を介して回転可能に軸支されている。回転ベースプレート７には、挿通孔７ｃに隣接させて平面山形を呈した回転ガイド部７ｆと、この回転ガイド部７ｆの両側に左右対称に設けた一対のスライドガイド部７ｇ、７ｇから成る第１回転ガイド溝７ｄが設けられている。この回転ベースプレート７の係合部７ｂ、７ｂには、同じく断面略コの字形状を呈したスライド促進部材１０、１０が挿入固定されている。
【００２４】
次に、回転ベースプレート７の上側に位置し、指示記号１１で示したものはスライド部材であり、このスライド部材１１の上側に指示記号１２で示したものが固定部材である。両者共に略同じ大きさを有する例えばＳＵＳ製の平面略矩形状のもので、このうち固定部材１２は、第２筐体３の下面に図示してない取付ビスを介して取り付けられており、この固定部材１２の下面にスライド部材１１が重なり合った状態でスポット溶接、或は図示してない取付ビスを介して重合固着されている。尚、この重合固着手段に限定はない。係合手段を併用しても良い。図示のものは、とくに図８に示したように、固定部材１２の一端部に設けた係合片１２ｂと他端部に設けた取付孔を設けた取付部１２ｃによって第２筐体３に対する固定手段が形成されている。スライド部材１１は基板部１１ａとこの基板部１１ａの両側部を長手方向に渡って折り曲げることによって形成したレール部１１ｂ、１１ｂを有し、このレール部１１ｂ、１１ｂを回転ベースプレート７に取り付けたスライド促進部材１０、１０に挿入させることにより、回転ベースプレート７との間で相対的にスライド自在である。尚、スライド促進部材１０、１０は、回転ベースプレート７の係合部７ｂ、７ｂに例えば凹凸嵌合等の手段で固定されると共に、回転ベースプレート７の上面とスライド部材１１の下面との間には、とくに図１０に示したように、スライド促進部材１０、１０の肉厚と、基板部１１ａの両側部を折り曲げて形成したレール部１１ｂ、１１ｂとによって、間隙ａが形成されている。
【００２５】
スライド部材１１には、その中央部よりその長手方向の手前側に当該長手方向と直交する形で第１筐体２と第２筐体３を電気的に連結するフレキシブルケーブル（図示せず）を挿通させる挿通孔１１ｃが設けられると共に、上述した回転ベースプレート７に設けた山形の回転ガイド部７ｆ及びこの回転ガイド部７ｆの両側より左右対称に設けられたスライドガイド部７ｇ、７ｇを有する第１回転ガイド溝７ｄと平面から見て対向する形で平面洋弓形状を呈した第２回転ガイド溝１１ｄ及びこの第２回転ガイド溝１１ｄに矢をつかえた形の回転規制ガイド溝１１ｅから成るガイド溝１１ｆが設けられている。第２筐体３の下面側に取り付けられるスライド部材１１には、前記回転規制ガイド溝１１ｅを覆う形で平面幅広の矢印形状を呈したガイド凹部１２ａが設けられている。そして、第１回転ガイド溝７ｄ及び第２回転ガイド溝１１ｄには固定ベースプレート８に取り付けたガイドピン１３が挿通されており、このガイドピン１３のフランジ部１３ａは、ガイド溝１１ｆと係合しつつガイド凹部１２ａ内に収容されている。
【００２６】
図５と図８において、回転ベースプレート７とスライド部材１１との間に図示されているところの指示記号１４のものは、例えばスネークスプリングから成るスライド付勢手段であり、その一端部１４ａは回転ベースプレート７の一側部側に設けた枢支孔７ｅに軸支ピン１５ａを介して軸支され、他端部１４ｂをスライド部材１１の他側部側に設けた枢支孔１１ｇに軸支ピン１５ｂを介して軸支されている。このように、スライド付勢手段１４は、スライド部材１１が回転ベースプレート７に対してスライドするスライド方向に対し直交する方向に設けられていることから、スライド部材１１の回転ベースプレート７に対するスライド動作時に伸長収縮を行ない、スライド部材１１を所定のスライド位置から長手方向前後へスライド付勢させるものである。
【００２７】
同じく図７と図９において、固定ベースプレート８の下側に図示されているところの指示記号１６のものは、例えばスネークスプリングから成る回転付勢手段であるが、スライド付勢手段１４のものとはその形状が異なっている。この回転付勢手段１６は、固定ベースプレート８の下面側に設けた第１係止片８ｂと第２係止片８ｃ、第３係止片８ｄ、及び第４係止片８ｅとによって、固定ベースプレート８の下面に所定の姿勢で固定され、その自由端側を回転支軸９の一側に圧接させている。このことによって、回転ベースプレート７は所定の回転角度から左右いずれの方向にも回転付勢されることになる。そして、第１筐体２の上面に設けた前記凹部２ｃは、回転支軸９のフランジ部９ｂを逃がし、回転付勢手段１６を収容している。
【００２８】
次に、上記した開閉装置４の機能について説明する。
【００２９】
まず、第１筐体２と第２筐体３の相対的なスライド機能について説明する。図１に示したように、携帯電話機１の第１筐体２と第２筐体３が、互いに重なりあった状態においては、図４の（ａ）に示したように、スライド部材１１に設けたガイド溝１１ｆの回転規制ガイド溝１１ｅに、固定ベースプレート８に取り付けたガイドピン１３が係合しているので、このガイドピン１３が回転ベースプレート７に設けた第１回転ガイド溝７ｄの位置にあっても、回転動作は規制されている。
【００３０】
第１筐体２と第２筐体３を相対的に前後方向へスライドさせると、回転ベースプレート７に対してスライド部材１１がスライドして第１筐体２の上面を露出させて行く。尚、図４においては、操作部２ａやディスプレイ部３ａを省略してある。そして、図４の（ｃ）に示したように、このスライド動作は、ガイドピン１３が回転規制ガイド溝１１ｅの始端部の第２回転ガイド溝１１ｄに設けた係合凹部１１ｈ（図３と図４（ａ）、（ｂ）に図示）に当接する事によって停止する。この停止状態において、図１の（ｂ）と図４の（ｃ）に示したように、第１筐体２の上面は露出され、操作部２ａの操作が可能となる。これが開成状態である。この開成状態から、第１筐体２と第２筐体３が重なり合う閉成状態に戻すことは、第１筐体２と第２筐体３を開成方向とは逆の閉成方向へ相対的にスライド操作することによって可能となる。この開閉操作時において、図５（ａ）〜（ｃ）に示したように、スライド付勢手段１４が圧縮伸張させられるので、スライド操作はその開成時と閉成時に若干の抵抗に遭遇する。このスライド付勢手段１４は、第１筐体２の上面を露出させたり、上面を覆ったりすべくなされる当該第１筐体２と第２筐体３の相対的なスライド動作時においては、軸支ピン１５ａ、１５ｂを支点に旋回しつつ圧縮され、その後圧縮から伸長動作に移り、第２筐体３を開成方向と閉成方向へスライド付勢させることになる。そして、閉成時と開成時においては、スライド部材１１を回転ベースプレート７に対しそれぞれの閉成方向と開成方向へスライド付勢させることにより、閉成状態においてガイドピン１３が回転規制ガイド溝１１ｅの終端部に当接し、開成状態において、第２回転ガイド溝１１ｄの中央部に設けた係合凹部１１ｈと係合することによりロックさせるロック機能も持つことになる。この際に、スライド付勢手段１４を偏平なスネークスプリングとすると、開閉装置４を薄型にすることにより、携帯電話機１を薄くすることができる利点がある。がしかし、スライド付勢手段１４は偏平なスネークスプリングに限定されるものではなく、他にコンプレッションスプリング、トーションスプリング、引張コイルスプリング等の公知構成の弾性手段を用いることができる。
【００３１】
次に、開閉装置４の回転機能について説明する。
【００３２】
図１の（ｂ）と図４と図５の各（ｃ）に示したように、携帯電話機１は第１筐体２に対し第２筐体３をその開成位置までスライドさせた状態において、図２の（ａ）〜（ｃ）と図６と図７のそれぞれ（ａ）〜（ｃ）に示したように、第２筐体３は第１筐体２に対して、左右いずれの方向にも水平回転可能となる。
【００３３】
即ち、図４と図５の各（ｃ）に示したように、第１筐体２に対する第２筐体３の開成位置において、ガイドピン１３は、第１回転ガイド溝７ｄと第２回転ガイド溝１１ｄを共に貫通した位置にある。この状態から、例えば第２筐体３を第１筐体２に対して回転させるべく、図２と図６と図７の各（ａ）に示したように、右方向へ第２筐体３の側部を押してやると、ガイドピン１３が係合凹部１１ｈ内を脱出して、第１回転ガイド溝７ｄと第２回転ガイド溝１１ｄの各回転ガイド部７ｆと１１ｉの左側の部分内を移動することが可能となるので、回転ベースプレート７とスライド部材１１は共に回転支軸９を支点に右方向へ回転することになる。左方向への回転は、同じく図１の（ｂ）と図４と図５の各（ｃ）に示した状態から、第２筐体３を第１筐体２に対して左方向へ回転させるべくその側部を押してやると、ガイドピン１３が係合凹部１１ｈ内を脱出して、第１回転ガイド溝７ｄと第２回転ガイド溝１１ｄの各回転ガイド部７ｆと１１ｉの右側部分内を移動することが可能となるので、回転ベースプレート７とスライド部材１１は共に回転支軸９を支点に左方向へ回転することになる。左右どちらの方向への回転においても第１回転ガイド溝７ｄと第２回転ガイド溝１１ｄがそれぞれ回転ガイド部７ｆ、１１ｉとスライドガイド部７ｇ、１１ｊを有し、中央部より左右対称に形成されているので、第２筐体３は第１筐体２に対して左右対称となる位置で停止される。
【００３４】
第１筐体２に対する第２筐体３の回転動作時においては、第２筐体３をガイドピン１３が共に第１回転ガイド溝７ｄと第２回転ガイド溝１１ｄに案内されることにより、第２筐体３の長手方向左右へその回転方向によりスライドしつつ回転することになり、このスライド動作を許容するために、固定ベースプレート８に回転支軸９のスライドを許容するガイド長孔８ａが設けられている。即ち、第２筐体３が第１筐体２に対して左右方向へ回転させられる時、とくに図７（ａ）〜（ｃ）に示したように、回転支軸９が、ガイド長孔８ａ内を長手方向へ往復スライドすることになる。このことにより、第２筐体３のディスプレイ部３ａの回転係止位置、即ち、ディスプレイ部３ａを第１筐体２に対して横長に係止させる位置をコントロールすることができるものである。また、この時、回転付勢手段１６がその端部で回転支軸９を押していることにより、第２筐体３は左右いずれの水平回転方向時にも所定の回転角度から回転付勢されることになる。この回転付勢は左右方向に回転させた第２筐体３を元位置に戻す時にも行われることになり、元位置へ自動的に戻るように動作することになる。この元位置に回転復帰した際には、ガイドピン１３が第２回転ガイド溝１１ｄに設けた係合凹部１１ｈに落ち込むことにより、元位置に戻った状態で、クリック停止し、その状態を安定的に保つことになる。
【００３５】
そして、第２筐体３の第１筐体２に対するその左右方向の回転は、ガイドピン１３が第１回転ガイド溝７ｄと第２回転ガイド溝１１ｄの各々の終端部、つまり、各スライドガイド部７ｇと１１ｊの終端部に当接することにより停止され、ガイドピン１３を押している回転付勢手段１６の付勢力により、その位置でロックされる。この回転付勢手段１６は、図面では偏平なスネークスプリングであるが、それをコンプレッションスプリング、トーションコイルスプリング、引張スプリングに代えることは可能である。また、第１回転ガイド溝７ｄと第２回転ガイド溝１１ｄの形状を変えることにより、第２筐体３と第１筐体２との相対的な回転操作時のフィーリングを変化させることもできることになる。
【００３６】
尚、以上の実施例において、固定ベースプレート８と固定部材１２は、それに代わるものを第１筐体２と第２筐体３に設けることにより省略することが可能である。また、回転ベースプレート７や固定ベースプレート８及びスライド部材１１や固定部材１２を取り付ける筐体を図示のものと逆、つまり、回転ベースプレート７や固定ベースプレート８を第２筐体３の下面側に設け、スライド部材１１と固定部材１２を第１筐体２の上面側に設けることは可能である。その場合には、請求項においては、第１筐体を第２筐体、第２筐体を第１筐体というように読み替えることになる。
【産業上の利用可能性】
【００３７】
以上詳細に説明したように、本発明に係る開閉装置は、携帯機器の上面に操作部を設けた第１筐体と上面にディスプレイ部を設けた第２筐体とを、互いに重なりあった閉成状態から前後方向にスライドさせて第１筐体の上面を露出させる開成状態にする開閉操作と、この開成状態において第２筐体を第１筐体に対して水平方向左右へ均等に回転させる回転操作との両操作を行うことのできる開閉装置として好適であり、この開閉装置を用いた携帯機器として好適に用いられるものである。
【図面の簡単な説明】
【００３８】
【図１】本発明に係る開閉装置を用いた携帯電話機のスライド操作時の説明図であり、(ａ)は第1筐体と第２筐体の閉成時の状態、(ｂ)は開成時の状態をそれぞれ示す。
【図２】本発明に係る開閉装置を用いた携帯電話機の回転操作時の説明図であり、(ａ)は第２筐体を右方向へ回転させる途中の状態を、(ｂ)は第２筐体を左方向へ回転させる途中の状態、(ｃ)は回転操作終了時の状態をそれぞれ示す。
【図３】本発明に係る開閉装置の分解斜視図である。
【図４】本発明に係る開閉装置のスライド動作を説明するもので、(ａ)は第１筐体と第２筐体のスライド動作前の状態、(ｂ)は第一筐体と第２筐体のスライド途中の状態、(ｃ)はスライド動作終了時の状態をそれぞれ示す。
【図５】本発明に係る開閉装置のスライド動作時におけるスライド付勢手段の動きを説明するもので、(ａ)は第１筐体と第２筐体のスライド動作前の状態、(ｂ)は第１筐体と第２筐体のスライド 途中の状態、(ｃ)はスライド動作終了時の状態をそれぞれ示す。
【図６】本発明に係る開閉装置の回転動作時の動作を説明するためのもので、(ａ)は第２筐体を右方向へ回転させる途中の状態を、(ｂ)は第２筐体を左方向へ回転させる途中の状態、(ｃ)は回転操作終了時の状態をそれぞれ示す。
【図７】本発明に係る開閉装置の回転動作時の回転付勢手段の動きを説明するためのもので、(ａ)は第２筐体を右方向へ回転させる途中の状態を、(ｂ)は、第２筐体を左方向へ回転させる途中の状態、(ｃ)は回転操作終了時の状態をそれぞれ示す。
【図８】本発明に係る開閉装置のスライド動作終了時の斜視図である。
【図９】図８の状態を裏側から見た斜視図である。
【図１０】図８のＡ−Ａ線断面図である。
【符号の説明】
【００３９】
１    携帯電話機
２    第１筐体
２ａ  操作部
２ｂ  マイク部
２ｃ  凹部
３    第２筐体
３ａ  ディスプレイ部
３ｂ  スピーカー部
４    開閉装置
７    回転ベースプレート
７ａ  基板部
７ｂ  係合部
７ｃ  挿通孔
７ｄ  第１回転ガイド溝
７ｅ  枢支孔
７ｆ  回転ガイド部
７ｇ  スライドガイド部
８    固定ベースプレート
８ａ  ガイド長孔
８ｂ、８ｃ、８ｄ、８ｅ  第１〜第４係止片
９    回転支軸
９ａ  軸部
９ｂ  フランジ部
１０    スライド促進部材
１１    スライド部材
１１ａ  基板部
１１ｂ  レール部
１１ｃ  挿通孔
１１ｄ  第２回転ガイド溝
１１ｅ  回転規制ガイド溝
１１ｆ  ガイド溝
１１ｇ  枢支孔
１１ｈ  係合凹部
１１ｉ  回転ガイド部
１１ｊ  スライドガイド部
ａ      間隙
１２    固定部材
１２ａ  ガイド凹部
１３    ガイドピン
１３ａ  フランジ部
１４    スライド付勢手段
１４ａ  一端部
１４ｂ  他端部
１５ａ  軸支ピン
１５ｂ  軸支ピン
１６    回転付勢手段
【図１】
2010041523.tif 000003
【図２】
2010041523.tif 000004
【図３】
2010041523.tif 000005
【図４】
2010041523.tif 000006
【図５】
2010041523.tif 000007
【図６】
2010041523.tif 000008
【図７】
2010041523.tif 000009
【図８】
2010041523.tif 000010
【図９】
2010041523.tif 000011
【図１０】
2010041523.tif 000012